(57)【要約】【課題】付設した計量スプーンが収納物内に潜り込むことなく、しかも、開封後の取り扱いも容易であり、使用者の手に収納物を付着させることを極力防止して使用できる計量スプーン付き容器を提案する。【解決手段】容器本体Ａの上縁部に柄21の先端部を着脱脱自在に係合させて容器本体Ａ上部に水平状態で支持した計量スプーンＣを備え、計量スプーンＣの係合手段として、容器本体Ａの上端部と、計量スプーンＣの柄21の先端部とに、一方が他方を挟持する如き挟持部ｘと被挟持部ｙとを設けた。そして、被挟持部ｙを挟持部ｘに挟持させることにより計量スプーンＣを水平状態で支持する如く構成した。【選択図】図１
2007099294.tif 000002
【特許請求の範囲】
【請求項１】
有底筒状の容器本体Ａと、容器本体Ａの上縁部に柄21の先端部を着脱自在に係合させて容器本体Ａ上部に水平状態で支持した計量スプーンＣと、容器本体Ａに着脱可能に嵌合させた蓋体Ｄとを備え、前記計量スプーンＣの係合手段として、容器本体Ａの上端部と、計量スプーンＣの柄21の先端部とに、一方が他方を挟持する如き挟持部ｘと被挟持部ｙとを設けたことを特徴とする計量スプーン付き容器。
【請求項２】
前記挟持部ｘを、柄21の後端部に突設した板状の上突片22と、上突片22両側位置下方に突設した一対の板状の下突片24とで構成し、前記被挟持部ｙを、容器本体Ａの上縁部より内方へ突設した係止板14で構成し、上突片22と各下突片24とで係止板14を挟持する如く構成してなる請求項１記載の計量スプーン付き容器。
【請求項３】
前記係止板14の基端部上面或いは下面に係止凹部15を形成するとともに、前記各下突片24上面或いは上突片22下面に係止凹部15と係合する係合突部25を突設してなる請求項１又は請求項２のいずれかに記載の計量スプーン付き容器。
【請求項４】
前記係止板14が、内向きフランジ状に容器本体Ａ上端部全周に亘って突設した係止板である請求項２又は請求項３のいずれかに記載の計量スプーン付き容器。
【請求項５】
前記被挟持部ｙを、容器本体Ａの上端に嵌合させた枠体Ｂの一部として構成してなる請求項１乃至請求項４のいずれかに記載の計量スプーン付き容器。
【請求項６】
前記挟持部ｘを、前記容器本体Ａの上端部より内方へ突設し、両側にガイド板16を備えた板状の下部突片17と、該下部突片17上方に突設した弾力性のある上部突片18とで構成し、前記被挟持部ｙである柄21の先端部をガイド板16に沿って上下突片間に強制的に嵌入し、下部突片17と上部突片18とで柄21の先端部を挟持する如く構成してなる請求項１記載の計量スプーン付き容器。
【請求項７】
前記挟持部ｘを、容器本体Ａの上端に嵌合させた枠体Ｂの一部として構成してなる請求項６記載の計量スプーン付き容器。
【発明の詳細な説明】
【技術分野】
【０００１】
本発明は計量スプーン付き容器に関する。
【背景技術】
【０００２】
計量用の計量スプーン等を備えつけた容器が種々提案されている。（例えば、特許文献１或いは特許文献２参照）。
【０００３】
前者は、折り畳み自在な箱形の容器本体の口部内周に嵌合凹段部を形成し、該嵌合凹段部に合成樹脂製の口枠を嵌合させ、該口枠には適所に一部を上方へと折り上げる薄肉のヒンジを形成するとともに、上方へ折り上げる側の一部の内側に計量カップ、計量スプーン、その他の取出し具を取り外し可能に付設し、更に、その口部を口枠を含めて閉口用の薄肉のシール片で覆って、シール片の周縁部をその口部の口縁及び口枠へ加熱溶着，接着その他の貼着手段により剥離可能に貼着している。
【０００４】
また後者は、小麦粉等の粉粒体を収納する蓋付きの容器であって、蓋の内壁面に片持状の係止片をその脚部にて固着し、係止片と内壁面との隙間にてスプーンの柄部を着脱可能に弾性保持するようにしている。
【特許文献１】特開平10-258841 号公報
【特許文献２】特開平10-328051 号公報
【発明の開示】
【発明が解決しようとする課題】
【０００５】
従来の計量スプーンを付設した容器は、一般に収納物の上に計量スプーンを装入していたが、保管，搬送時に収納物の中に潜り込んでしまとういう不都合が生じる。この様な不都合を防止するために、上記特許文献１或いは特許文献２の如く、口枠に計量スプーンを取り外し可能に付設したり、蓋の内壁面に係止片を設けてスプーンの柄部を保持する如く構成することにより対応している。しかしながら、前者は開封後に取り外したスプーンを収納物の上に装入しなければならず、また、後者は、係止片と内壁面との狭い隙間に柄部を挿入しなければならないため、スプーンの着脱が行い難い等、いまだ改良の余地は残されている。
【０００６】
本発明は上記した点に鑑みてなされたもので、付設した計量スプーンが収納物内に潜り込むことはなく、しかも、開封後の取り扱いも容易で、使用者の手に内容物を付着させることを極力防止して使用でき、構造も簡単で安価に製造できる計量スプーン付き容器を提案する。
【課題を解決するための手段】
【０００７】
本発明の計量スプーン付き容器１は、容器本体Ａと、計量スプーンＣと、蓋体Ｄとを備えている。
【０００８】
容器本体Ａは合成樹脂等により形成されたもので、その形状は有底筒状の広口形態のものが好ましく採用できるが、収納物を計量スプーンにて掬い出せる形状であればとくに限定されない。また、形成方法は公知方法が種々採用でき、例えば真空成形や圧空成形等のシート成形により形成することができる。
【０００９】
計量スプーンＣは合成樹脂等により形成されたもので、掬皿20と柄21とを備えている。また、容器本体Ａの上縁部に柄21の先端部を着脱自在に係合させて容器本体Ａ上部に水平状態で支持している。
【００１０】
計量スプーンＣの係合手段として、容器本体Ａの上端部と、計量スプーンＣの柄21の先端部とに、一方が他方を挟持する如き挟持部ｘと被挟持部ｙとを設けている。従って、挟持部ｘを容器本体Ａに設ける場合と、計量スプーンＣに設ける場合とがあり、また、それに伴って被挟持部ｙを計量スプーンＣに設ける場合と容器本体Ａに設ける場合とがある。容器本体Ａに挟持部ｘを設ける場合には、被挟持部ｙが柄21の先端部となる。
【００１１】
挟持部ｘは原則として被挟持部ｙを挟持する少なくとも一対の突片を備えており、各突片は板状、棒状或いはそれらの複合等の形態を採ることができる。各突片の数は適宜選択できる。また、突片の一方及び／又は他方に抜け出しを防止するための係合突部を設けて、被挟持部に設けた係止凹部と係合させる如く構成しても良い。更に、突片の一方及び／又は他方に弾力性を付与して被挟持部ｙの挟着をより行い易くすることも可能である。
【００１２】
挟持部ｘを柄21に設けた場合に、被挟持部ｙは容器本体Ａの上端部の一部に設けても或いは上端部の全周に亘って設けても良い。また、挟持部ｘを容器本体Ａに設けた場合には、複数の挟持部ｘを設けても良い。また、容器本体Ａに設ける挟持部ｘ或いは被挟持部ｙは、容器本体Ａに直接設けても或いは、容器本体Ａの上端に別部材として嵌着固定しても良い。別部材として形成した場合、容器本体Ａの一部に嵌着固定する形態を採ることも可能であるが、容器本体Ａの上端に嵌着した枠体Ｂの一部として構成することも可能である。
【００１３】
蓋体Ｄも合成樹脂等により形成されたもので、射出成形などの公知の成形方法により形成することができる。また容器本体Ａに着脱可能に嵌合させている。更に気密性を得るために、容器本体Ａ或いは枠体Ｂに密に嵌合するシール筒32を設けて容器本体Ａ内を密閉する如く構成すると良い。                                                      
【００１４】
上記課題を解決するための第１の手段として、有底筒状の容器本体Ａと、容器本体Ａの上縁部に柄21の先端部を着脱自在に係合させて容器本体Ａ上部に水平状態で支持した計量スプーンＣと、容器本体Ａに着脱可能に嵌合させた蓋体Ｄとを備え、前記計量スプーンＣの係合手段として、容器本体Ａの上端部と、計量スプーンＣの柄21の先端部とに、一方が他方を挟持する如き挟持部ｘと被挟持部ｙとを設けた。
【００１５】
第２の手段として、前記第１の手段に於いて、前記挟持部ｘを、柄21の後端部に突設した板状の上突片22と、上突片22両側位置下方に突設した一対の板状の下突片24とで構成し、前記被挟持部ｙを、容器本体Ａの上縁部より内方へ突設した係止板14で構成し、上突片22と各下突片24とで係止板14を挟持する如く構成した。
【００１６】
第３の手段として、前記第１の手段又は第２の手段のいずれかの手段に於いて、前記係止板14の基端部上面或いは下面に係止凹部15を形成するとともに、前記各下突片24上面或いは上突片22下面に係止凹部15と係合する係合突部25を突設した。
【００１７】
第４の手段として、前記第２の手段又は第３の手段のいずれかの手段に於いて、前記係止板14が、内向きフランジ状に容器本体Ａ上端部全周に亘って突設した係止板である。
【００１８】
第５の手段として、前記第１の手段乃至第４の手段のいずれかの手段に於いて、前記被挟持部ｙを、容器本体Ａの上端に嵌合させた枠体Ｂの一部として構成した。
【００１９】
第６の手段として、前記第１の手段に於いて、前記挟持部ｘを、前記容器本体Ａの上端部より内方へ突設し、両側にガイド板16を備えた板状の下部突片17と、該下部突片17上方に突設した弾力性のある上部突片18とで構成し、前記被挟持部ｙである柄21の先端部をガイド板16に沿って上下突片間に強制的に嵌入し、下部突片17と上部突片18とで柄21の先端部を挟持する如く構成した。
【００２０】
第７の手段として、前記第６の手段に於いて、前記挟持部ｘを、容器本体Ａの上端に嵌合させた枠体Ｂの一部として構成した。
【発明の効果】
【００２１】
本発明の計量スプーン付き容器は、付設した計量スプーンが収納物内に潜り込むことはなく、しかも、開封後の使用途中の取り扱いも容易で、使用者の手を汚す等の不都合を極力防止でき、また、構造も簡単で、安価に製造できる。
【００２２】
また、挟持部ｘを、柄21の後端部に突設した板状の上突片22と、上突片22両側位置下方に突設した一対の板状の下突片24とで構成し、前記被挟持部ｙを、容器本体Ａの上縁部より内方へ突設した係止板14で構成し、上突片22と各下突片24とで係止板14を挟持する如く構成した場合には、上突片22と各下突片24とがズレた位置にあるため計量スプーンの安定した支持を行える。
【００２３】
また、係止板14の基端部上面或いは下面に係止凹部15を形成するとともに、各下突片24上面或いは上突片22下面に係止凹部15と係合する係合突部25を突設した場合には、係合した計量スプーンＣが不必要に外れる等の不都合を極力防止する。
【００２４】
また、係止板14が、内向きフランジ状に容器本体Ａ上端部全周に亘って突設した形態のものである場合には、計量スプーンＣをどの方向からも係合することができる利点がある。
【００２５】
また、挟持部ｘ或いは被挟持部ｙを、容器本体Ａの上端に嵌合させた枠体Ｂの一部として構成した場合には、容器本体Ａと別の材料で挟持部ｘ或いは被挟持部ｙを形成することができる利点があり、弾力性に富んだ突片等を必要な場合に容器本体の材質に関係なく使用できるため便利である。
【００２６】
また、前記挟持部ｘを、前記容器本体Ａの上端部より内方へ突設し、両側にガイド板16を備えた板状の下部突片17と、該下部突片17上方に突設した弾力性のある上部突片18とで構成し、前記被挟持部ｙである柄21の先端部をガイド板16に沿って上下突片間に強制的に嵌入し、下部突片17と上部突片18とで柄21の先端部を挟持する如く構成した場合には、柄の先端部全体を挟持することができるため、計量スプーンＣをより安定した状態で支持することができる。また、上部突片18が弾力性を備えているため、上部突片18が広がる如く弾性変形して挟着が容易となる。
【発明を実施するための最良の形態】
【００２７】
以下、本発明の実施例の形態を図面を参照して説明する。
【００２８】
図１乃至図３は計量スプーン付き容器の一例を示し、計量スプーン付き容器１は、容器本体Ａと、枠体Ｂと、計量スプーンＣと、蓋体Ｄとを備えている。
【００２９】
容器本体Ａは底壁２周縁部より周壁３を立設した有底の四角筒状をなし、周壁３の上端縁よりフランジ部４を介して垂壁部５を垂設している。垂壁部５は上下方向中間部の段部により上方の小径部5aと、下方の大径部5bとで構成される。容器本体Ａは合成樹脂により形成している。
【００３０】
枠体Ｂも同様に合成樹脂により形成され、前記フランジ部４上に当接した環状基板10の下面から、周壁３内周上端部に嵌合する内嵌合壁11と、小径部5a外周に嵌合する外嵌合壁12をそれぞれ垂設し、また、環状基板10の内周縁部より起立環状壁13を起立し、更に、起立環状壁13の内周下部より内方へ、被挟持部ｙとしてのフランジ状の係止板14を突設している。係止板14の基端部には上方へ凹んだ係止凹部15に形成されている。具体的には、外方に行くに従って斜めに上昇する傾斜板状に基端部を形成しており、傾斜板状部分下面に断面三角形状の前記係止凹部15を形成している。
【００３１】
計量スプーンＣは合成樹脂製で、掬皿20と、柄21とを備えている。柄21は掬皿20の上端開口縁後部より後方に略水平に延設しており、柄21の先端部には挟持部ｘを設けている。挟持部ｘは、先端面の中央より後方へ突設した板状の上突片22と、上突片22の両側から下方へ一対の連結片23を垂設し、各連結片23の下端からそれぞれ後方へ突設した板状をなす一対の下突片24とで構成している。各下突片24の上面先端部には前記係止凹部15と係合する係合突部25を突設している。
【００３２】
この計量スプーンＣは、挟持部ｘで前記被挟持部ｙを挟持して容器本体Ａに装着している。即ち、前記上突片22を係止板14の上面に摺接係止させ、また、各下突片24を係止板14の下面に摺接係止させ、更に、各下突片の係合突部25を係止凹部15に係合させて装着している。
【００３３】
蓋体Ｄは、前記大径部5b外周及び外嵌合壁12外周に下部を嵌合させた周壁30の上端縁より頂壁31を延設し、頂壁31下面より垂設したシール筒32を前記起立環状壁13の内周に気密に嵌合して容器本体Ａに気密性を付与している。
【００３４】
上記の如く構成した計量スプーン付き容器１は、例えば、図１の状態で保管，流通させる。使用に当たっては、蓋体Ｄを外し、計量スプーンＣを引き抜いて収納物を計量して使用する。使用後は計量スプーンＣを再び嵌合した後蓋体Ｄを嵌合する。
【００３５】
図４乃至図６は他の例を示し、計量スプーン付き容器１は、同様に容器本体Ａと、枠体Ｂと、計量スプーンＣと、蓋体Ｄとを備えている。
【００３６】
容器本体Ａ及び蓋体Ｄは図１の例と同様であるため、同符号付して説明を省略する。
【００３７】
枠体Ｂは図１の例と同様に前記フランジ部４上に当接した環状基板10の下面から、周壁３内周上端部に嵌合する内嵌合壁11と、小径部5a外周に嵌合する外嵌合壁12をそれぞれ垂設し、また、環状基板10の内周縁部より起立環状壁13を起立している。本例では、起立環状壁13の内周下部で、周壁３の一辺の中間部から内方へ挟持部ｘを突設している。挟持部ｘは、両側にガイド板16をそれぞれ立設した板状の下部突片17と、該下部突片17上方に突設した弾力性のある上部突片18とで構成している。上部突片18は下部突片17の基端部から斜め上方に突設した傾斜板部18a の先端に水平板部18b を延設し、水平板部18b の先端に断面Ｖ字状をなすＶ字板部18c を延設している。このＶ字板部18c の存在で被挟持部ｙが嵌入し易く、また、傾斜板部18a の存在で、上下方向への容易な弾性変形が可能に構成している。また傾斜板部18a とＶ字板部18c との間に係止凹部19を形成している。尚、上部突片18下方の下部突片17部分には窓孔を穿設している。
【００３８】
計量スプーンＣは合成樹脂製で、掬皿20と、柄21とを備えている。柄21は掬皿20の上端開口縁後部より後方に略水平に延設しており、柄21の上面周縁には丈の短い縁壁26を立設している。そして、この柄21の先端部を被挟持部ｙとして構成している。そして、被挟持部ｙを前記挟持部ｘに挟持させて容器本体Ａに装着している。即ち、ガイド板16に沿って上下突片間に柄21の先端部を強制的に嵌入し、下部突片17と上部突片18とで挟持させる。この際、後端部の縁壁26が前記係止凹部19に係合する。
【００３９】
上記の如く構成した計量スプーン付き容器１は、例えば、図４の状態で保管，流通させる。使用に当たっては、蓋体Ｄを外し、計量スプーンＣを引けば柄21の縁壁26が上部突片18面に摺動し、Ｖ字板部18c では上部突片18を上方へ押し上げつつ摺動して容易に引き出すことができる。次いで収納物を計量して使用した後、柄21の先端部をガイド板16間に挿入して押し込めば、最初柄21の先端がＶ字板部18c に当接して上部突片18を押し上げつつ上下突片間に容易に嵌入され、先端の縁壁26が係止凹部19と係合して再び計量スプーンＣを水平状態で容器本体Ａ上部に維持し、蓋体Ｄを被せる。
【図面の簡単な説明】
【００４０】
【図１】本発明計量スプーン付き容器の半断面図である。（実施例１）
【図２】本発明計量スプーン付き容器の一部切欠平面図である。（実施例１）
【図３】本発明に於ける要部斜視図である。（実施例１）。
【図４】本発明計量スプーン付き容器の半断面図である。（実施例２）
【図５】本発明計量スプーン付き容器の一部切欠平面図である。（実施例２）
【図６】本発明に於ける要部斜視図である。（実施例２）。
【符号の説明】
【００４１】
14…係止板，15…係止凹部，17…下部突片，18…上部突片，21…柄，22…上突片，
24…下突片，25…係合突部，Ａ…容器体，Ｂ…枠体，Ｃ…計量スプーン，Ｄ…蓋体，
ｘ…挟持部，ｙ…被挟持部
【図１】
2007099294.tif 000003
【図２】
2007099294.tif 000004
【図３】
2007099294.tif 000005
【図４】
2007099294.tif 000006
【図５】
2007099294.tif 000007
【図６】
2007099294.tif 000008